(57)【要約】【課題】油化プラントの建屋に塩化水素ガス、悪臭、ダイオキシンに対する効果を講じる。【解決手段】油化プラントを収納する建屋の換気栓３に光触媒の溶射被膜を施したり、天井から吊り下げた垂れ膜１２を光触媒処理したり、熱風発生器の煙突先端にダイオキシン分解筒３０を設けたり、建屋の床面に光触媒タイル１１を敷設したり、建屋の側壁２ｂに光触媒箱４を設けたり、必要に応じて建屋の内壁に光触媒を塗って、建屋を光触媒処理をする。【選択図】　　　図１
2004067886.tif 000002
【特許請求の範囲】
【請求項１】
油化プラントを収納する建屋において、前記建屋は脱臭、ダイオキシン対策として光触媒処理がなされていることを特徴とする油化プラントの建屋。
【請求項２】
前記光触媒処理は、建屋の換気栓に光触媒の溶射被膜を施してなることを特徴とする請求項１記載の油化プラントの建屋。
【請求項３】
前記光触媒処理は、建屋の天井から垂らした垂れ膜に光触媒を施してなることを特徴とする請求項１又は２に記載の油化プラントの建屋。
【請求項４】
前記光触媒処理は、温風発生器の燃焼ガスを外部に排出する煙突先端に光触媒筒を付着せしめてなることを特徴とする請求項１乃至３のいずれかに記載の油化プラントの建屋。
【請求項５】
前記光触媒処理は、建屋の床面に溶射光触媒が付着されたタイルを敷設してなることを特徴とする請求項１乃至４のいずれかに記載の油化プラントの建屋。
【請求項６】
前記光触媒処理は、建屋の壁面に光触媒箱を設置せしめてなり、この光触媒箱はその中を建屋内の空気を通過せしめて光触媒に接触させることを特徴とする請求項１乃至５のいずれかに記載の油化プラントの建屋。
【発明の詳細な説明】
【０００１】
【発明の属する技術分野】
本発明は、プラスチックを油化して油を採集する油化プラントの建屋に関する。
【０００２】
【従来技術及び発明が解決しようとする課題】
現在、廃棄プラスチックを油化する大型油化プラントが日本に３ヶ所程存在し、小型油化プラントも現在開発されている。これらの油化プラントでは、塩化ビニールを処理した場合、塩化水素ガス、ダイオキシン等の有毒ガスが発生するので、これらについての対策が必要であるが、現在のところこれらについての対策が不十分であった。
【０００３】
【課題を解決するための手段】
そこで、本発明は、小型油化プラントを収納する建屋を光触媒処理したことを特徴とする。
【０００４】
この光触媒処理としては、光触媒を付着した換気栓を使用したり、天井から光触媒を付着した垂れ膜を設けたり、煙突先端に光触媒筒を設けたり、床面に光触媒タイルを敷設したり、壁面に光触媒箱を設けたりする。
これによって、建屋内の空気の脱臭を行ったり、ダイオキシン等の有害ガスを分解する。
【０００５】
【実施形態】
以下、図面を参照して本発明の実施形態について説明する。
【０００６】
図１において、小型の油化プラント本体１が建屋２内に収納され、この油化プラント１は、廃プラ等のプラスチックを元の石油として採集するためのものであり、例えば、縦１０ｍ、横５ｍ、高さ５ｍくらいの小型である、前記建屋２は屋根２ａと側壁２ｂと床面２ｃとからなっている。前記屋根２ａの頂点には所定間隔で建屋の縦方向に複数の換気栓３が設けられ、建屋の側壁２ｂには光触媒箱４が設けられている。
【０００７】
前記油化プラント本体１は、図２に示すようにホッパー５を有し、このホッパー５にコンベアＣを介して破砕機７によって１〜２ｍ角に破砕されたプラスチックが供給され、前記破砕機６には、コンベアＣ２によって原料プラスチックが投入される。
前記破砕機６近傍には、入口８から運び込まれた原料プラスチックが載置される載置場１０が設けられている。この載置場１０は廃プラを処理する場合、悪臭を放つことがあるが、この悪臭を脱臭するために少なくとも載置場１０の近傍の床面には、光触媒タイル１１が敷設されている。この光触媒タイル１１は、タイルの上面に溶射により酸化チタン、酸化アルミニウム等の細粒からなる光触媒層を形成したものであり、脱臭効果が大きい。なお床面全体に光触媒タイルを敷設してもよい。
【０００８】
前記建屋２の屋根２ａからは図１に示すように建屋内に垂れ膜１２、…１２が所定間隔で垂れ下がり、この垂れ膜１２はプラスチックの繊維からなる不織布から形成され、この不織布には溶射により光触媒が付着されている。この垂れ幕１２は、光触媒が付着できるものであればその材質は問わず、金属板でも木板でもよい。
油化プラントにおいて、塩素が入っている塩化ビニールを処理する場合には、塩化水素ガスとダイオキシンが発生するおそれがあるのでその対策が必須となる。塩化水素ガスは、図２のホッパー５の近傍に設けられる脱塩素装置近傍に発生して漏洩するおそれがあるので、その近傍の建屋側壁床面近くには排気ファン１３、…１３が設けられ、万が一漏洩した場合に備えている。なお、塩化水素ガスは空気より重いので床面近くに滞溜し、これを排出するために排気ファン１３は床面近傍に設けられている。
【０００９】
前記換気栓３は、図３に示すように、筒体２０中に回転ファン２１を備え、前記筒体２０の上面は、屋根板２２によってカバーされる。前記回転ファン２１は羽根２３、２２を備え、この羽根２３は軸２４に付設され、この軸２４はモータ２５によって回転され，この軸２４の上下端部は、放射状に配置された支持フレーム２６によって支えられている。建屋内の空気は排出換気栓の場合は、矢印Ａのように流れ、吸引換気栓の場合には逆方向に流れる。なお、換気栓３は複数個設けられ、その一部は排出換気栓であり、残りは吸入換気栓として構成されてもよい。
【００１０】
なお、換気栓３の内面全体には、溶射により光触媒が付着され、とくに回転ファン２１の羽根２３に光触媒が付着されていると、羽根２３が回転して空気への接触面積が大きくなり、これにより光触媒の効果が著しく増大する。また、筒体２０には、高電圧発生装置（トランス）２７が接続され、換気栓３が電気的に絶縁状体で屋根に設置されていることにより、換気栓３全体が電場雰囲気となり、これにより光触媒が励起され、光触媒の効果が更に著しく増大する。
【００１１】
油化プラントの熱源供給をする熱風発生器から伸びる煙突２８の先端には、図４に示すようにダイオキシン分解筒３０が設けられ、この分解筒３０は建屋２の側壁上部に支持された本体ケーシング３１と、この本体ケーシング３１内に千鳥状に配設された邪魔板３２、３２…３２とからなり、入口３３から入った燃焼ガスは邪魔板３２に当たりながら出口３４から大気中に排出される。なお、前記本体ケーシング３１の内壁および邪魔板３２には溶射により光触媒層が形成され、前記本体ケーシング３１には、高電圧発生装置３５が接続され、これによりダイオキシン分解筒３０内が電場雰囲気とされ、光触媒のダイオキシン分解能力が向上する。なお、前記分解筒３０は、煙突２８とは絶縁体３６を介して接続されるとともに建屋２の側壁２６に絶縁体３７を介して支持されることにより電気的に絶縁されている。
【００１２】
前記建屋の側壁２ｂの適宜位置に取り付けられる光触媒箱４は、図５に示すように箱体４０を有し、この箱体４０の下面には吸気口４１が形成され、その上面にはファン４２が設けられている。前記箱体４０の内部にはガイド板４３、４３が立設され、箱体４０の裏面は建屋の側壁２ｂに設けた換気口４４に面している。前記箱体４０の外壁および内壁更には、ガイド板４１、ファン４２には溶射又は塗料による光触媒層が形成され、必要に応じて高電圧発生装置を設置して電場雰囲気を形成してもよい。この光触媒箱４においては、ファン４２の回転により、その下面より吸引された建屋内の空気は光触媒により脱臭され、一部ダイオキシンも分解されている。
【００１３】
なお、建屋２の側壁２ｂ面には、塗料による光触媒層が形成されてもよい。
【００１４】
【発明の効果】
本発明は、以上のように構成されているので、油化プラントの建屋内に誤って、塩化水素ガス、ダイオキシンが発生してもそれらを分解でき、悪臭を迅速に脱臭できるという効果を奏する。
【図面の簡単な説明】
【図１】本発明の建屋の概略構成図である。
【図２】本発明の概略平面図である。
【図３】本発明に係る換気栓の概略構成図である。
【図４】本発明に係るダイオキシン分解装置の概略構成図である。
【図５】本発明に係る光触媒箱の斜視図である。
【符号の説明】
１…油化プラント本体
２…建屋
３…換気栓
４…光触媒箱
６…破砕機
１２…垂れ幕
３０…ダイオキシン分解筒
【図１】
2004067886.tif 000003
【図２】
2004067886.tif 000004
【図３】
2004067886.tif 000005
【図４】
2004067886.tif 000006
【図５】
2004067886.tif 000007